(57)【特許請求の範囲】
【請求項１】
双方向通信機能を有する複数の無線局と、前記複数の無線局のうち少なくとも１台の無線局の送受信信号を制御する操作卓とを備える無線システムであって、
前記操作卓が、
該操作卓が制御する前記無線局から他の前記無線局に対して送信される情報であって、  前記複数の無線局のうち回線品質測定試験の対象となる送信側無線局と受信側無線局の組の複数を指定するとともに、当該組それぞれに対応する前記回線品質測定試験の開始時刻と期間とを指定する１つの指定情報を生成する指定情報生成部と、
前記指定情報において指定される前記送信側無線局と前記受信側無線局の全ての無線局に対して前記指定情報を送信する指定情報送信部と、を有し、
前記無線局が、
前記指定情報によって当該無線局が送信側無線局として指定されている場合には該指定情報によって指定されている前記開始時刻を基準とする前記期間、所定の回線品質測定用信号を送信し、前記指定情報によって当該無線局が受信側無線局として指定されている場合には該指定情報によって指定されている前記開始時刻を基準とする前記期間、前記回線品質測定用信号を受信する無線通信部を有する
ことを特徴とする無線システム。
【請求項２】
前記指定情報が、
さらに、前記回線品質を判定するための回線品質判定情報を含み、
前記複数の無線局が、
前記回線品質判定情報及び前記回線品質測定用信号の受信結果に基づいて前記回線品質の良否の判定を行う回線品質判定部を有し、
前記無線通信部が、
前記回線品質判定部による判定結果が否である場合に前記操作卓へ向けてその旨を通知する
ことを特徴とする請求項１に記載の無線システム。
【請求項３】
前記複数の無線局が、
時刻情報を出力する時計部と、他の無線局の時計部が示す時刻と自己の時計部の時刻とを同期するための時刻同期部とを有する
ことを特徴とする請求項１又は２に記載の無線システム。
【請求項４】
前記複数の無線局が、
前記指定情報によって当該無線局が送信側又は受信側無線局として指定されている場合に該指定情報に対応する情報を記憶するともに、前記指定情報によって当該無線局が受信側無線局として指定されている場合には前記回線品質測定用信号の受信結果に基づく前記回線品質測定試験の試験結果を記憶する記憶部を有し、
前記無線通信部が、
前記操作卓における所定の操作に応じて、前記操作卓へ向けて前記記憶部に記憶されている前記試験結果を表す情報を通知する
ことを特徴とする請求項１〜３のいずれか１項に記載の無線システム。
【請求項５】
双方向通信機能を有する複数の無線局と、前記複数の無線局のうち少なくとも１台の無線局の送受信信号を制御する操作卓とを備える無線システムにおける前記操作卓であって、
当該操作卓が制御する前記無線局から他の前記無線局に対して送信される情報であって、前記複数の無線局のうち回線品質測定試験の対象となる送信側無線局と受信側無線局の組の複数を指定するとともに、当該組それぞれに対応する前記回線品質測定試験の開始時刻と期間とを指定する１つの指定情報を生成する指定情報生成部と、
前記指定情報において指定される前記送信側無線局と前記受信側無線局の全ての無線局に対して前記指定情報を送信する指定情報送信部と、を有する
ことを特徴とする操作卓。
【請求項６】
双方向通信機能を有する複数の無線局と、前記複数の無線局のうち少なくとも１台の無線局の送受信信号を制御する操作卓とを備え、
前記操作卓が、
該操作卓が制御する前記無線局から他の前記無線局に対して送信される情報であって、前記複数の無線局のうち回線品質測定試験の対象となる送信側無線局と受信側無線局の組の複数を指定するとともに、当該組それぞれに対応する前記回線品質測定試験の開始時刻と期間とを指定１つの指定情報を生成する指定情報生成部と、
前記指定情報において指定される前記送信側無線局と前記受信側無線局の全ての無線局に対して前記指定情報を送信する指定情報送信部と、を有する無線システムにおける前記無線局であって、
前記指定情報によって当該無線局が送信側無線局として指定されている場合には該指定情報によって指定されている前記開始時刻を基準とする前記期間、所定の回線品質測定用信号を送信し、前記指定情報によって当該無線局が受信側無線局として指定されている場合には該指定情報によって指定されている前記開始時刻を基準とする前記期間、前記回線品質測定用信号を受信する無線通信部を有する
ことを特徴とする無線局。
【請求項７】
双方向通信機能を有する複数の無線局と、前記複数の無線局のうち少なくとも１台の無線局の送受信信号を制御する操作卓とを備える無線システムの制御方法であって、
前記操作卓が、
該操作卓が制御する前記無線局から他の前記無線局に対して送信される情報であって、前記複数の無線局のうち回線品質測定試験の対象となる送信側無線局と受信側無線局の組の複数を指定するとともに、当該組それぞれに対応する前記回線品質測定試験の開始時刻と期間とを指定する１つの指定情報を生成し、
前記指定情報において指定される前記送信側無線局と前記受信側無線局の全ての無線局に対して前記指定情報を送信し、
前記無線局が、
前記指定情報によって当該無線局が送信側無線局として指定されている場合には該指定情報によって指定されている前記開始時刻を基準とする前記期間、所定の回線品質測定用信号を送信し、前記指定情報によって当該無線局が受信側無線局として指定されている場合には該指定情報によって指定されている前記開始時刻を基準とする前記期間、前記回線品質測定用信号を受信する
ことを特徴とする無線システム制御方法。
【請求項８】
双方向通信機能を有する複数の無線局と、前記複数の無線局のうち少なくとも１台の無線局の送受信信号を制御する操作卓とを備える無線システムにおける前記操作卓のコンピュータを、
該操作卓が制御する前記無線局から他の前記無線局に対して送信される情報であって、前記複数の無線局のうち回線品質測定試験の対象となる送信側無線局と受信側無線局の組の複数を指定するとともに、当該組それぞれに対応する前記回線品質測定試験の開始時刻と期間とを指定する１つの指定情報を生成する指定情報生成手段、
前記指定情報において指定される前記送信側無線局と前記受信側無線局の全ての無線局に対して前記指定情報を送信する指定情報送信手段、
として機能させるためのプログラム。
【発明の詳細な説明】
【技術分野】
【０００１】
本発明は、無線システム、操作卓、無線局、無線システム制御方法、プログラムに関する。
【背景技術】
【０００２】
デジタル防災行政無線などの無線システムでは、例えば、屋外スピーカを備えた複数の屋外子局（屋外拡声子局などとも呼ばれる）を用いて、所望の情報が複数の住民に対して一斉に通報される。そこでは、市町村役場などに設けられている操作卓に対して所定の操作や音声入力を行うことで、操作卓に接続されている基地局（親局とも呼ばれる）やその中継局（あるいは再送信子局）から、無線回線を介して複数の屋外子局に対して音声情報などを表す所定の情報が同報送信される。
【０００３】
特許文献１には、上記のような無線システムにおける無線回線の品質監視技術の一例が記載されている。特許文献１に記載されている無線システムでは、屋外子局にＢＥＲ（Ｂｉｔ  Ｅｒｒｏｒ  Ｒａｔｅ；ビット誤り率）測定部が設けられている。また、音声放送が行われた直後に基地局から屋外子局に対してＰＮ９信号が送信される（ここで、ＰＮ９は、Ｐｓｅｕｄｏ  Ｒａｎｄｏｍ  Ｎｏｉｓｅ  ９の略語であり、９段のビットシフト回路で発生した擬似ランダム雑音系列を表す）。屋外子局では受信したＰＮ９信号を用いてＢＥＲが測定される。その後、基地局からの要求に応じて屋外子局から基地局に対してＢＥＲの測定結果が送信される。このＢＥＲの測定結果の送信の際には、アンサーバック機能と呼ばれる基地局と屋外子局間の双方向通信機能が利用される。この特許文献１に記載されている無線システムによれば、無線回線の回線品質が劣化し、拡声放送の音質が低下している状況などを、操作卓において把握することが可能となる。
【０００４】
また、本発明に関連する他の背景技術が、特許文献２及び特許文献３に記載されている。
【０００５】
特許文献２に記載されている統計情報収集方法では、回線状態の測定に要する上位の制御装置の負荷を低減するため、受信エラーやデータ再送等の回線状態を表す統計情報が、配下の信号処理回路において監視される。その際、統計情報の種類としきい値とを指定する情報が、制御装置から信号処理回路に対して送信される。そして、しきい値を超過した場合にのみ、信号処理回路から制御装置に対して通知が行われる。
【０００６】
一方、特許文献３に記載されている加入者回線自動試験システムでは、デジタル加入者装置と網端末装置とに回線試験手段を設けることで、デジタル加入者装置と網端末装置との間の回線試験が、中央制御装置側において保守者が指示した時刻に開始されるようになっている。
【先行技術文献】
【特許文献】
【０００７】
【特許文献１】特開２０１０−５６６９７号公報
【特許文献２】特開平３−１１４４３号公報
【特許文献３】特開昭６２−２３７８５１号公報
【発明の概要】
【発明が解決しようとする課題】
【０００８】
特許文献１に記載されている無線システムでは、ＰＮ９信号が常に基地局から送信されるようになっているので、基地局から屋外子局へ向けた方向である下り回線の回線品質を把握することは可能である。しかしながら、屋外子局から基地局に向けた上り回線の回線品質を把握することはできない。また、任意の時刻あるいは時間で回線品質を把握することができるような構成は設けられていない。さらに、基地局や中継局と複数の屋外子局との間の複数の無線回線のなかから任意の回線を選択するための構成も設けられていない。
【０００９】
また、一般的には、操作卓あるいは基地局側から遠隔かつ自動で測定することができない無線装置間の回線状態の測定は、各装置が設置されている現場に測定者が赴き、直接ＰＣ（パーソナルコンピュータ）を装置に接続して、装置を制御及び測定する方法などが用いられてきた。また、遠隔で回線状態（ＢＥＲなど）を測定することができない場合には、日々変化する回線状態を容易にモニタすることができず、例えば回線が途切れるまで回線状態（ＢＥＲ）の悪化を検知することができなかった。
【００１０】
なお、本願においては、各無線回線を、無線信号の送受信を行う２台の装置で決定される無線区間（以下、単に「区間」と称する場合もある）と、上り回線又は下り回線を示す通信方向（以下、単に「方向」と称する場合もある）とを用いて特定することとする。なお、上り回線と下り回線については、基地局から屋外子局へ向かう方向が「下り」、屋外子局から基地局へ向かう方向が「上り」である。
【００１１】
本発明は、上記の事情を考慮してなされたものであり、基地局や中継局と、１又は複数の子局などとからなる複数の無線局間の無線回線の回線品質を取得する際の条件を指示することができる無線システム、操作卓、無線局、無線システム制御方法、プログラムを提供することを目的とする。
【課題を解決するための手段】
【００１２】
上記課題を解決するため、本発明の無線システムは、双方向通信機能を有する複数の無線局と、前記複数の無線局のうち少なくとも１台の無線局の送受信信号を制御する操作卓とを備える無線システムであって、前記操作卓が、該操作卓が制御する前記無線局から他の前記無線局に対して送信される情報であって、前記複数の無線局のうち回線品質測定試験の対象となる送信側無線局と受信側無線局の組の複数を指定するとともに、当該組それぞれに対応する前記回線品質測定試験の開始時刻と期間とを指定する１つの指定情報を生成する指定情報生成部と、前記指定情報において指定される前記送信側無線局と前記受信側無線局の全ての無線局に対して前記指定情報を送信する指定情報送信部と、を有し、前記無線局が、前記指定情報によって当該無線局が送信側無線局として指定されている場合には該指定情報によって指定されている前記開始時刻を基準とする前記期間、所定の回線品質測定用信号を送信し、前記指定情報によって当該無線局が受信側無線局として指定されている場合には該指定情報によって指定されている前記開始時刻を基準とする前記期間、前記回線品質測定用信号を受信する無線通信部を有することを特徴とする。
【発明の効果】
【００１３】
本発明によれば、操作卓において、指定情報生成部を用いて、回線品質測定試験の期間を指定するとともに、複数の無線局のうち回線品質測定試験の対象となる少なくとも１台の送信側無線局及び少なくとも１台の受信側無線局を指定する情報である指定情報を生成することができる。また、無線局が有する無線通信部において、一方、指定情報によって当該無線局が送信側無線局として指定されている場合には指定情報によって指定された期間に所定の回線品質測定用信号が送信され、他方、受信側無線局として指定されている場合には指定情報によって指定された期間に送信側無線局から送信された回線品質測定用信号が受信される。したがって、基地局や中継局と１又は複数の子局などとからなる複数の無線局間の無線回線の回線品質を、任意の時刻に、任意の区間かつ任意の方向で、操作卓において容易に把握することができるようになる。
【図面の簡単な説明】
【００１４】
【図１】本発明の無線システムの一実施形態の構成例を示す図である。
【図２】図１の操作卓１の構成例を示すブロック図である。
【図３】図２の指定情報生成部１５２で生成される指定情報の構成例を示す図である。
【図４】図１の基地局２の構成例を示すブロック図である。
【図５】図１の中継局３の構成例を示すブロック図である。
【図６】図１の屋外子局４−１〜４−４の構成例を示すブロック図である。
【図７】図１の無線システム１００の動作例を示すシーケンス図である。
【発明を実施するための形態】
【００１５】
以下、図面を参照して本発明の実施形態について説明する。図１に本発明の無線システムを防災同報無線システムとして構成した場合の構成例を示す。図１の無線システム１００は、システムの操作を司る操作卓１と、基地局と呼ばれる無線送受信装置２（以下、基地局２と称する）と、中継局（又は再送信子局）と呼ばれる無線中継装置３（以下、中継局３と称する）と、屋外子局と呼ばれる拡声装置付きの無線送受信装置４−１〜４−４（以下、屋外子局４−１〜４−４と称する）にて構成されている。図１に示す例では、操作卓１と基地局２とが有線の制御回線によって接続されている。また、基地局２と、屋外子局４−１、屋外子局４−２及び中継局３とは、直接、無線通信可能な位置関係で配置されている。一方、基地局２と、屋外子局４−３及び屋外子局４−４とは、中継局３を介して、無線通信可能な位置関係で配置されている。
【００１６】
図１に示す無線システム１００において、操作卓１は、１又は複数のＣＰＵ（中央処理装置）、メモリ、周辺回路、周辺装置、筐体などから構成されていて、ＣＰＵによって所定のプログラムを実行しながら、操作者の指示などに応じて基地局２における無線信号の送受信などを制御する。また、基地局２、中継局３及び屋外子局４−１〜４−４は、１又は複数のＣＰＵ、メモリ、周辺回路、周辺装置、筐体などから構成されていて、ＣＰＵによって所定のプログラムを実行しながら、所定の無線信号を送受信したり、受信信号を音声信号に変換して拡声出力したりする。
【００１７】
なお、基地局２、中継局３及び屋外子局４−１〜４−４の配置や台数については適宜変更することが可能である。
【００１８】
図２は、図１に示した操作卓１の構成例を示す図である。ただし、図２では、操作卓１の本発明で用いられる機能に関連する構成のみを図示している。図２の操作卓１には、入力部１１、出力部１２、時計部１３、有線通信部１４、制御部１５及び記憶部１６が設けられている。入力部１は、キーボードやマウス、音声入力用の入力端子やマイクなどから構成さされている。出力部２は、モニタやスピーカなどから構成されている。時計部１３は、日時を示すデジタル値を出力する。この時計部１３の出力に基づいて各部における時刻や時間を基準とする処理が実行される。有線通信部１４は、図１の基地局２と所定の制御回線を接続するために用いられる。制御部１５は、時刻同期部１５１、指定情報生成部１５２、回線品質監視部１５３を含んでいる。
【００１９】
記憶部１６は、送受信機器情報記憶部１６１、回線品質判定テーブル１６２、回線品質測定結果記憶部１６３を含んでいる。
【００２０】
送受信機器情報記憶部１６１は、基地局２、中継局３、屋外子局４−１〜４−２などの無線システム１００内のすべての無線局の識別情報（この実施形態では機器ＩＤ（識別符号）と称する）と、各無線局間の無線回線の接続状態などを記憶する記憶装置（あるいは記憶領域）である。
【００２１】
回線品質判定テーブル１６２は、回線品質を判定するための回線品質判定情報を記憶するものであって、具体的には各無線局間の無線回線の回線品質について、回線品質測定試験の試験結果（すなわち測定結果）が良好であると判定する基準値（すなわちしきい値）を、無線回線毎すなわち上述した無線区間と通信方向毎に記憶する記憶装置（あるいは記憶領域）である。ただし、基準値は無線回線毎に異ならせてもよいし、一部または全部を同一の値としてもよい。また、過去の実績などに応じて変更できるようにしてもよい。
【００２２】
回線品質測定結果記憶部１６３は、各無線回線に対する回線品質測定結果の履歴を、回線毎、日時毎に蓄積、記憶する記憶装置（あるいは記憶領域）である。
【００２３】
一方、制御部１５内の時刻同期部１５１は、時計部１３が示す時刻と、後述する基地局２などが有する時計部の時刻とを同期させるための構成である。時刻同期部１５１は、例えば、有線通信部１４を介して基地局２との間で所定の同期信号を送受信することで基地局２内の時計部の時刻を調整する。ただし、時刻同期部１５１の構成はこれに限らず、例えばＧＰＳ（Ｇｌｏｂａｌ  Ｐｏｓｉｔｉｏｎｉｎｇ  Ｓｙｓｔｅｍ）を用いて取得した時刻情報に対して時計部１３の時刻を調整するような構成であってもよい。
【００２４】
指定情報生成部１５２は、回線品質測定試験の開始時刻と測定時間（又は終了時刻でもよい）と、対象とする無線区間を指定する指定情報を、操作者の指示に応じて生成する。ここで、回線品質測定試験の開始時刻と測定時間又は終了時刻を指定するということは、開始時刻から終了時刻までの間すなわち期間を指定することを意味する。指定情報の一例を図３に示した。図３に示した指定情報２００は、第１の対象区間に関する指定情報２０１、第２の対象区間に関する指定情報２０２などから構成されている。第１の対象区間に関する指定情報２０１と、第２の対象区間に関する指定情報２０２とは、例えば、同一時刻あるいは比較的時間差の小さい異なる時刻に実施される回線品質測定試験についての指定情報とすることができる。
【００２５】
この例では、第１の対象区間に関する指定情報２０１が、回線品質測定試験用の試験信号を送信する側の無線局を指定する送信対象機器ＩＤ、当該送信対象機器ＩＤを有する無線局から送信された回線品質測定試験用の試験信号を受信する側の１又は複数の無線局を指定する１又は複数の受信対象機器ＩＤ、測定開始時刻、測定時間、及び第１の対象区間の回線品質判定テーブルの各情報から構成されている。送信対象機器ＩＤ及び受信対象機器ＩＤは、送受信機器情報記憶部１６１に記憶されている機器ＩＤが用いられる。第１の対象区間の回線品質判定テーブルは、回線品質判定テーブル１６２に記憶されている基準値のなかから選択された、試験対象となる１又は複数の無線回線に対応した１又は複数の基準値から構成される。
【００２６】
例えば、図１に示す構成で任意の時刻と時間で基地局２から屋外子局４−１及び４−２への各下り回線の試験を行う場合には、次のように指定情報２０１を設定する。すなわち、基地局２の機器ＩＤを送信対象機器ＩＤに、屋外子局４−１及び４−２の各機器ＩＤを受信対象機器ＩＤに、任意の時刻と時間を測定開始時刻と測定時間に、そして、第１の対象区間の回線品質判定テーブルに、回線品質判定テーブル記憶部１６２内の基地局２と屋外子局４−１及び４−２との間の下り回線についての各しきい値を指定する。
【００２７】
また、例えば、図１に示す構成で任意の時刻と時間で中継局３から屋外子局４−３及び４−４への各下り回線の試験を行う場合には、次のように指定情報２０１を設定する。すなわち、中継局３の機器ＩＤを送信対象機器ＩＤに、屋外子局４−３及び４−４の各機器ＩＤを受信対象機器ＩＤに、任意の時刻と時間を測定開始時刻と測定時間に、そして、第１の対象区間の回線品質判定テーブルに、回線品質判定テーブル記憶部１６２内の中継局３と屋外子局４−３及び４−４との間の下り回線についての各しきい値を指定する。
【００２８】
また、例えば、図１に示す構成で任意の時刻と時間で中継局３から基地局２への上り回線の試験を行う場合には、次のように指定情報２０１を設定する。すなわち、中継局３の機器ＩＤを送信対象機器ＩＤに、基地局２の機器ＩＤを受信対象機器ＩＤに、任意の時刻と時間を測定開始時刻と測定時間に、そして、第１の対象区間の回線品質判定テーブルに、回線品質判定テーブル記憶部１６２内の中継局３と基地局２との間の上り回線についてのしきい値を指定する。
【００２９】
なお、第２の対象区間に関する指定情報２０２も、第１の対象区間に関する指定情報２０１と同様に構成されている。
【００３０】
他方、回線品質監視部１５３は、例えば操作者の指示に応じて１又は複数の任意の時刻あるいは時間帯に行われた回線品質測定試験の測定結果を対象の無線局（基地局２、中継局３、屋外子局４−１〜４−４など）から受信して出力部１２から出力したり、回線品質測定試験を実施した結果によって、いずれかの無線回線で回線品質判定テーブルに記憶されているしきい値を下回る不良の測定結果が得られた場合には、該当する無線局からの通報を受信して出力部１２から出力したりする。なお、回線品質監視部１５３は、回線品質測定試験の測定結果を任意の無線局から読み出す場合、当該無線局を要求先とする情報送信要求信号を生成して有線通信部１４を介して送信するともに、当該無線局から応答として送信された測定結果を表す情報を受信する。回線品質監視部１５３は、また、一般の状態監視（すなわち現在の回線状態を表示する処理）に加え、過去の回線状態を指定の範囲内で全て表示する状態監視を行うようにすることができる。
【００３１】
次に、図４を参照して、図１に示した基地局２の構成例について説明する。図４では、本発明で用いられる基地局２の機能に関連する構成のみを図示している。図４の基地局２には、有線通信部２１、無線通信部２２、時計部２３、制御部２４及び記憶部２５が設けられている。有線通信部２１は、図１の操作卓１と所定の制御回線を接続するために用いられる。無線通信部２２は、図１の中継局３や屋外子局４−１〜４−２などと所定形式の無線通信を行うために用いられる。時計部２３は、日時を示すデジタル値を出力する。この時計部２３の出力に基づいて各部における時刻や時間を基準とする処理が実行される。制御部２４は、時刻同期部２４１、情報送受信部２４２、回線品質測定用信号生成部２４３、回線品質測定部２４４、回線品質判定部２４５及び回線品質測定結果通知部２４６を含んでいる。記憶部２５は、機器ＩＤ記憶部２５１、指定情報記憶部２５２及び回線品質測定結果記憶部２５３を含んでいる。
【００３２】
機器ＩＤ記憶部２５１は、基地局２固有の識別情報である基地局２の機器ＩＤと、基地局２が下り回線を用いて接続する他の無線局（図１の例では中継局３並びに屋外子局４−１及び４−２）の各機器ＩＤを記憶する記憶装置（あるいは記憶領域）である。指定情報記憶部２５２は、有線通信部２１によって受信した操作卓１の指定情報生成部１５２で生成された図３に示すような指定情報のうち、自局を送信又は受信無線局とするものを記憶する記憶装置（あるいは記憶領域）である。すなわち、指定情報記憶部２５２には、自局を送信又は受信無線局とする回線品質測定試験の対象区間毎に、送信対象機器ＩＤ、受信対象機器ＩＤ、測定開始時刻、測定時間及び回線品質判定テーブルを表す情報が記憶される。回線品質測定結果記憶部２５３は、自局（すなわち基地局２）の機器ＩＤが指定情報内で受信対象機器ＩＤとして指定されている場合（すなわち基地局２といずれかの無線局との間で上り回線に対して回線品質測定試験が行われる場合）に自局（すなわち基地局２）で測定した測定結果を記憶する記憶装置（あるいは記憶領域）である。回線品質測定結果記憶部２５３には、当該測定結果に対応する指定情報の内容に対応づけて当該測定結果を示す情報が蓄積される。
【００３３】
一方、制御部２４内の時刻同期部２４１は、時計部２３が示す時刻を、操作卓１の時計部１３の時刻と同期させるとともに、他の無線局の時計部の時刻を時計部２３が示す時刻に同期させるための構成である。時刻同期部２４１は、例えば、有線通信部２１を介して操作卓１との間で所定の同期信号を送受信することで時計部２３の時刻を調整したり、無線通信部２２を介して他の無線局と接続して、時計部２３の時刻に基づく所定の同期信号を送受信したりする。ただし、時刻同期部２４１の構成はこれに限らず、例えばＧＰＳを用いて取得した時刻情報に対して時計部２３の時刻を調整するような構成を用いるものであってもよい。
【００３４】
情報送受信部２４２は、有線通信部２１を介して操作卓１から所定の情報を受信したりあるいは操作卓１へ所定の情報を送信したり、無線通信部２２を介して他の無線局へ所定の情報を送信したりあるいは他の無線局から所定の情報を受信したり、また、操作卓１と他の無線局との間で送受信される情報を転送したりする。情報送受信部２４２は、また、受信した指定情報を分析し、自局を送信又は受信無線局とする指定情報を指定情報記憶部２５２に記憶する。
【００３５】
回線品質測定用信号生成部２４３は、自局（すなわち基地局２）の機器ＩＤが指定情報内で送信対象機器ＩＤとして指定されている場合（すなわち基地局２といずれかの無線局との間で下り回線に対して回線品質測定試験が行われる場合）に当該指定情報で指定されている開始時刻から測定時間の間、ＰＮ９信号などの回線品質測定用の所定の信号（以下、回線品質測定用信号と称する）を生成する。回線品質測定用信号生成部２４３によって生成された回線品質測定用信号は無線通信部２２を介して送信される。
【００３６】
回線品質測定部２４４は、自局（すなわち基地局２）の機器ＩＤが指定情報内で受信対象機器ＩＤとして指定されている場合（すなわち基地局２といずれかの無線局との間で上り回線に対して回線品質測定試験が行われる場合）に当該指定情報で指定されている開始時刻から測定時間の間、当該上り回線で受信された回線品質測定用信号を用いてＢＥＲを測定する。回線品質測定部２４４は、測定したＢＥＲの値を回線品質測定結果記憶部２５３に記憶する。
【００３７】
回線品質判定部２４５は、指定情報記憶部２５２に記憶されている回線品質判定テーブルを表す情報と、回線品質測定部２４４によって受信された回線品質測定用信号を用いて測定されたＢＥＲの値とに基づいて回線品質の良否の判定を行う。
【００３８】
回線品質測定結果通知部２４６は、回線品質判定部２４５による判定結果が否の場合（すなわち回線品質判定テーブルに指定された所定のしきい値を下回った場合）には、その旨を無線通信部２２を介して操作卓１に向けて送信する。また、回線品質測定結果通知部２４６は、操作卓１から有線通信部２１を介して自局を要求先とする測定結果の情報送信要求が受信された場合には、回線品質測定結果記憶部２５３から対象となる測定結果を読み出して情報送信要求に対する応答として測定結果を表す情報を操作卓１に対して送信する。
【００３９】
次に、図５を参照して、図１に示した中継局３の構成例について説明する。図５では、中継局３の本発明で用いられる機能に関連する構成のみを図示している。図５の中継局３には、無線通信部３２、時計部３３、制御部３４及び記憶部３５が設けられている。無線通信部３２は、図１の中継局３や屋外子局４−３〜４−４などと所定形式の無線通信を行うために用いられる。時計部３３は、日時を示すデジタル値を出力する。この時計部３３の出力に基づいて各部における時刻や時間を基準とする処理が実行される。制御部３４は、時刻同期部３４１、情報送受信部３４２、回線品質測定用信号生成部３４３、回線品質測定部３４４、回線品質判定部３４５及び回線品質測定結果通知部３４６を含んでいる。記憶部３５は、機器ＩＤ記憶部３５１、指定情報記憶部３５２及び回線品質測定結果記憶部３５３を含んでいる。
【００４０】
機器ＩＤ記憶部３５１は、中継局３固有の識別情報である中継局３の機器ＩＤと、中継局３が上り回線又は下り回線を用いて接続する他の無線局（図１の例では基地局２並びに屋外子局４−３及び４−４）の各機器ＩＤを記憶する記憶装置（あるいは記憶領域）である。指定情報記憶部３５２は、無線通信部３２によって受信した操作卓１の指定情報生成部１５２で生成された図３に示すような指定情報のうち、自局を送信又は受信無線局とするものを記憶する記憶装置（あるいは記憶領域）である。すなわち、指定情報記憶部３５２には、自局を送信又は受信無線局とする回線品質測定試験の対象区間毎に、送信対象機器ＩＤ、受信対象機器ＩＤ、測定開始時刻、測定時間及び回線品質判定テーブルを表す情報が記憶される。回線品質測定結果記憶部３５３は、自局（すなわち中継局３）の機器ＩＤが指定情報内で受信対象機器ＩＤとして指定されている場合（すなわち中継局３といずれかの無線局との間で中継局３を受信局として回線品質測定試験が行われる場合）に自局（すなわち中継局３）で測定した測定結果を記憶する記憶装置（あるいは記憶領域）である。回線品質測定結果記憶部３５３には、当該測定結果に対応する指定情報の内容に対応づけて当該測定結果を示す情報が蓄積される。
【００４１】
一方、制御部３４内の時刻同期部３４１は、時計部３３が示す時刻を、基地局２の時計部２３の時刻と同期させるとともに、他の無線局の時計部の時刻を時計部３３が示す時刻に同期させるための構成である。時刻同期部３４１は、例えば、無線通信部３２を介して基地局２との間で所定の同期信号を送受信することで時計部３３の時刻を調整したり、無線通信部３２を介して他の無線局と接続して、時計部３３の時刻に基づく所定の同期信号を送受信したりする。ただし、時刻同期部３４１の構成はこれに限らず、例えばＧＰＳを用いて取得した時刻情報に対して時計部３３の時刻を調整するような構成を用いるものであってもよい。
【００４２】
情報送受信部３４２は、無線通信部３２を介して、基地局２から所定の情報を受信したりあるいは基地局２へ所定の情報を送信したり、他の無線局へ所定の情報を送信したりあるいは他の無線局から所定の情報を受信したり、また、基地局２と他の無線局との間で送受信される情報を転送したりする。情報送受信部３４２は、また、受信した指定情報を分析し、自局を送信又は受信無線局とする指定情報を指定情報記憶部３５２に記憶する。
【００４３】
回線品質測定用信号生成部３４３は、自局（すなわち中継局３）の機器ＩＤが指定情報内で送信対象機器ＩＤとして指定されている場合（すなわち中継局３といずれかの無線局との間で中継局３を送信局として回線品質測定試験が行われる場合）に当該指定情報で指定されている開始時刻から測定時間の間、ＰＮ９信号などの回線品質測定用信号を生成する。回線品質測定用信号生成部３４３によって生成された回線品質測定用信号は無線通信部３２を介して送信される。
【００４４】
回線品質測定部３４４は、自局（すなわち中継局３）の機器ＩＤが指定情報内で受信対象機器ＩＤとして指定されている場合（すなわち中継局３といずれかの無線局との間で中継局３を受信局として回線品質測定試験が行われる場合）に当該指定情報で指定されている開始時刻から測定時間の間、無線通信部３２を介して受信された回線品質測定用信号を用いてＢＥＲを測定する。回線品質測定部３４４は、測定したＢＥＲの値を回線品質測定結果記憶部３５３に記憶する。
【００４５】
回線品質判定部３４５は、指定情報記憶部３５２に記憶されている回線品質判定テーブルを表す情報と、回線品質測定部３４４によって受信された回線品質測定用信号を用いて測定されたＢＥＲの値とに基づいて回線品質の良否の判定を行う。
【００４６】
回線品質測定結果通知部３４６は、回線品質判定部３４５による判定結果が否の場合（すなわち回線品質判定テーブルに指定された所定のしきい値を下回った場合）には、その旨を無線通信部３２を介して操作卓１に向けて送信する。また、回線品質測定結果通知部３４６は、操作卓１から無線通信部３２を介して自局を要求先とする測定結果の情報送信要求が受信された場合には、回線品質測定結果記憶部３５３から対象となる測定結果を読み出して情報送信要求に対する応答として測定結果を表す情報を操作卓１に向けて送信する。
【００４７】
次に、図６を参照して、図１に示した屋外子局４−１〜４−４の構成例について説明する。図６では、屋外子局４−１〜４−４の本発明で用いられる機能に関連する構成のみを図示している。図６の屋外子局４−１〜４−４には、音声出力部４１、無線通信部４２、時計部４３、制御部４４及び記憶部４５が設けられている。音声出力部４１は、屋外スピーカや音声信号増幅装置を有して構成されていて、受信信号に含まれる放送用の信号を出力する。無線通信部４２は、図１の基地局２又は中継局３などと所定形式の無線通信を行うために用いられる。時計部４３は、日時を示すデジタル値を出力する。この時計部４３の出力に基づいて各部における時刻や時間を基準とする処理が実行される。制御部４４は、時刻同期部４４１、情報送受信部４４２、回線品質測定用信号生成部４４３、回線品質測定部４４４、回線品質判定部４４５及び回線品質測定結果通知部４４６を含んでいる。記憶部４５は、機器ＩＤ記憶部４５１、指定情報記憶部４５２及び回線品質測定結果記憶部４５３を含んでいる。
【００４８】
機器ＩＤ記憶部４５１は、屋外子局４−１〜４−４それぞれの固有の識別情報である屋外子局４−１〜４−４の各機器ＩＤと、屋外子局４−１〜４−４が上り回線又は下り回線を用いて接続する他の無線局（図１の例では基地局２又は中継局３）の各機器ＩＤを記憶する記憶装置（あるいは記憶領域）である。指定情報記憶部４５２は、無線通信部４２によって受信した操作卓１の指定情報生成部１５２で生成された図３に示すような指定情報のうち、自局を送信又は受信無線局とするものを記憶する記憶装置（あるいは記憶領域）である。すなわち、指定情報記憶部４５２には、自局を送信又は受信無線局とする回線品質測定試験の対象区間毎に、送信対象機器ＩＤ、受信対象機器ＩＤ、測定開始時刻、測定時間及び回線品質判定テーブルを表す情報が記憶される。回線品質測定結果記憶部４５３は、自局（すなわち屋外子局４−１〜４−４）の機器ＩＤが指定情報内で受信対象機器ＩＤとして指定されている場合（すなわち屋外子局４−１〜４−４といずれかの無線局との間で屋外子局４−１〜４−４を受信局として回線品質測定試験が行われる場合）に自局（すなわち屋外子局４−１〜４−４）で測定した測定結果を記憶する記憶装置（あるいは記憶領域）である。回線品質測定結果記憶部４５３には、当該測定結果に対応する指定情報の内容に対応づけて当該測定結果を示す情報が蓄積される。
【００４９】
一方、制御部４４内の時刻同期部４４１は、時計部４３が示す時刻を、基地局２又は中継局３の時計部２３又は時計部３３の時刻と同期させるための構成である。時刻同期部４４１は、例えば、無線通信部４２を介して基地局２又は中継局３との間で所定の同期信号を送受信することで時計部４３の時刻を調整する。ただし、時刻同期部４４１の構成はこれに限らず、例えばＧＰＳを用いて取得した時刻情報に対して時計部４３の時刻を調整するような構成を用いるものであってもよい。
【００５０】
情報送受信部４４２は、無線通信部４２を介して、基地局２又は中継局３から所定の情報を受信したりあるいは基地局２又は中継局３へ所定の情報を送信したりする。情報送受信部３４２は、また、受信した指定情報を分析し、自局を送信又は受信無線局とする指定情報を指定情報記憶部４５２に記憶する。
【００５１】
回線品質測定用信号生成部４４３は、自局（すなわち屋外子局４−１〜４−４）の機器ＩＤが指定情報内で送信対象機器ＩＤとして指定されている場合（すなわち屋外子局４−１〜４−４といずれかの無線局との間で屋外子局４−１〜４−４を送信局として回線品質測定試験が行われる場合）に当該指定情報で指定されている開始時刻から測定時間の間、ＰＮ９信号などの回線品質測定用信号を生成する。回線品質測定用信号生成部４４３によって生成された回線品質測定用信号は無線通信部４２を介して送信される。
【００５２】
回線品質測定部４４４は、自局（すなわち屋外子局４−１〜４−４）の機器ＩＤが指定情報内で受信対象機器ＩＤとして指定されている場合（すなわち屋外子局４−１〜４−４といずれかの無線局との間で屋外子局４−１〜４−４を受信局として回線品質測定試験が行われる場合）に当該指定情報で指定されている開始時刻から測定時間の間、無線通信部４２を介して受信された回線品質測定用信号を用いてＢＥＲを測定する。回線品質測定部４４４は、測定したＢＥＲの値を回線品質測定結果記憶部４５３に記憶する。
【００５３】
回線品質判定部４４５は、指定情報記憶部４５２に記憶されている回線品質判定テーブルを表す情報と、回線品質測定部４４４によって受信された回線品質測定用信号を用いて測定されたＢＥＲの値とに基づいて回線品質の良否の判定を行う。
【００５４】
回線品質測定結果通知部４４６は、回線品質判定部４４５による判定結果が否の場合（すなわち回線品質判定テーブルに指定された所定のしきい値を下回った場合）には、その旨を無線通信部４２を介して操作卓１に向けて送信する。また、回線品質測定結果通知部４４６は、操作卓１から無線通信部４２を介して自局を要求先とする測定結果の情報送信要求が受信された場合には、回線品質測定結果記憶部４５３から対象となる測定結果を読み出して情報送信要求に対する応答として測定結果を表す情報を操作卓１に向けて送信する。
【００５５】
次に、図７を参照して図１に示す無線システム１００の動作の一例について説明する。図７は、図１に示した操作卓１、基地局２、屋外子局４−１及び屋外子局４−２間での処理の流れを時系列に示した動作シーケンスである。なお、操作卓１、基地局２、屋外子局４−１及び屋外子局４−２間ではあらかじめ時刻同期がなされているものとする（Ｓ１１〜Ｓ１３）。
【００５６】
いま、操作者が、操作卓１より測定したい無線回線（区間及び上り下り）と測定時間（開始時刻及び測定時間）と回線品質の判定テーブル（ＢＥＲ値がどの範囲で正常とし、どの値で異常とするかの対応を示す。）を指定したとする（Ｓ１４）。操作卓１はその入力された情報に基づいて指定情報生成部１５２で生成した指定情報を、基地局２へ送信する（Ｓ１５）。この場合、基地局２を送信局、屋外子局４−１及び屋外子局４−２を受信局として回線品質測定試験を行う旨の指定情報が生成されたこととする。ここで、指定情報は、対象となるすべての無線局を宛先として同報送信したり、対象となる各無線局を個別に指定して単信送信したり、あるいは、対象、非対象と問わずすべての無線局を宛先として同報通信したりすることができる。
【００５７】
基地局２は受け取った指定情報を分析し（Ｓ１６）、すなわち測定する回線の判断（測定対象機器のＩＤを参照し、かつ送信か受信かを判断）を行い、自局が対象となっている場合には測定する回線を表す情報と測定時間に係る情報（測定開始時刻と測定時間又は測定終了時刻）などを指定情報記憶部２５２に記録する（図７ではメモリ記録と表記）（Ｓ１７）と共に、対象回線に該当する屋外子局へ指定情報を無線で送信する（Ｓ１８〜Ｓ１９）。この場合、対象回線に該当する屋外子局４−１及び４−２は、送られてきた指定情報に含まれる回線測定の情報（送信か受信か及び測定開始時刻と測定時間）を分析し（Ｓ２０、Ｓ２２）、指定情報記憶部４５２に記録する（図７ではメモリ記録と表記）（Ｓ２１、Ｓ２３）。
【００５８】
基地局２と屋外子局４−１及び４−２は、メモリ（指定情報記憶部２５２又は指定情報記憶部４５２）に記録された開始時刻になると（Ｓ２５〜Ｓ２７）、送信側の機器（この例では基地局２）は回線品質測定用信号生成部２４３によって生成された回線品質測定用信号（ＰＮ９信号）を送信し（Ｓ２８）、受信側の機器（この例では屋外子局４−１〜４−２）はその信号を受信して回線品質測定部４４４によってＢＥＲを測定する（Ｓ２９、Ｓ３０）。受信側の機器（この例では屋外子局４−１〜４−２）は、指定の測定時間を経過すると測定を停止し（Ｓ３２、Ｓ３７）、その停止した時点でのＢＥＲ平均値を回線状態値として測定開始時刻と対応させて自身のメモリ（すなわち回線品質測定結果記憶部４５３）に記録する（Ｓ３３、Ｓ３８）。送信側の機器（この例では基地局２）も、測定時間が経過すると送信を停止し、通常状態へ戻る（Ｓ３１）。
【００５９】
屋外子局４−１及び４−２は、回線品質判定部４４５による判定の結果、その測定したＢＥＲ平均値が指定情報で指定されている回線品質判定テーブル上で異常の範囲内であった場合には、即座に回線品質測定結果通知部４４６によって操作卓１まで異常通知を送信し（Ｓ３４〜Ｓ３６、Ｓ３９〜Ｓ４１）、操作卓１は回線品質監視部１５３によって異常通知を受信するとともに、出力部１２からその異常を操作者に報せるよう表示する。
【００６０】
一方、回線品質測定試験結果を任意の無線局を選択し、測定結果を呼び出して監視する場合には、操作卓１に対する操作者による所定の操作に応じて（Ｓ４２）、回線品質監視部１５３によって対象となる無線局（この例では屋外子局４−１及び４−２）に対して基地局２を経由して情報送信要求信号が送信される（Ｓ４３及びＳ４４又はＳ４７）。情報送信要求（すなわち測定結果送信要求）を受けた対象無線局（この例では屋外子局４−１及び４−２）は、回線品質測定結果通知部４４６によってその保持しているデータ（すなわちＢＥＲ値（回線状態値）及び測定開始時刻）を表す情報を操作卓１まで送信する（Ｓ４５〜Ｓ４７又はＳ４８〜Ｓ５０）。操作卓１は回線品質監視部１５３によってデータを受け取り、対象回線の状態を出力部１２において表示する（Ｓ５１）。
【００６１】
これらの動作により、本実施形態によれば、現地に赴かないまま操作卓１からの一元操作で、望んだ対象と時刻で自動的に回線状態を測定し、モニタすることが可能となる。
【００６２】
なお、測定中に放送要求や他の操作を受けた場合には、対象機器は回線状態測定を中止してその受けた操作の動作を優先することで、主たる機能である放送への影響を回避するようにすることが望ましい。また、指定する回線は、基地局２−中継局３間、中継局３−屋外子局４−３〜４−４間、基地局２−屋外子局４−１〜４−２間のどの回線（すなわちどの上り回線及び下り回線）でも可能である。
【００６３】
なお、本発明の実施の形態は上記に限定されず、例えば、指定情報内に測定結果の送信時刻など指定することで対象無線局側から操作卓１側に対して自動で、回線品質の測定結果を表す情報を送信するようにする変更などを適宜行うことができる。また、上記の実施形態の構成において、ＣＰＵ（図示せず）によって実行されるプログラムは、通信回線又はコンピュータ読み取り可能な記録媒体を介して配布することが可能である。
【符号の説明】
【００６４】
１  操作卓
２  基地局
３  中継局
４−１〜４−４  屋外子局
２２、３２、４２  無線通信部
２３、３３、４３  時計部
２５、３５、４５  記憶部
１５２、２５２、３５２、４５２  指定情報生成部
２４４、３４４、４４４  回線品質測定部
２４５、３４５、４４５  回線品質判定部
２４１、３４１、４４１  時刻同期部
２５２、３５２、４５２  指定情報記憶部
２５３、３５３、４５３  回線品質測定結果記憶部
【図１】
0005915003.tif 000002
【図２】
0005915003.tif 000003
【図３】
0005915003.tif 000004
【図４】
0005915003.tif 000005
【図５】
0005915003.tif 000006
【図６】
0005915003.tif 000007
【図７】
0005915003.tif 000008